(57)【要約】【課題】  建具と照明器具とのコラボレーションを中心に、且つ、広く、建材と照明とのコラボレーションを図ることができるインテリア建材を提供することを目的とする。【解決手段】  本願発明に係るインテリア建材は、長尺状のコ字状の形材であるフレーム１と、照明器具２と、この照明器具２を前記フレーム１に取り付けたるための取付材３と、この照明器具２の照明光を反射させるために前記フレーム１に取付けられるリフレクタ材４と、前記フレーム１が備える開口１０を塞ぐフサギ材５から構成される。前記フレーム１の開口１０は、前記照明器具２、前記取付材３、前記リフレクタ材４及び前記フサギ材５を取付るための取付空間１１となっている。前記取付空間１１に、各種の照明器具２を取付けた前記取付材３、前記リフレクタ材４及び前記フサギ材５を組合わせて、インテリア建材とすることができる。【選択図】        図５Ａ
2017142933.tif 000002
【特許請求の範囲】
【請求項１】
長尺状のコ字状のフレームを備えると共に、
照明器具を前記フレームに取り付けたるための取付材、前記照明器具の照明光を反射させるために前記フレームに取付けられるリフレクタ材及び前記フレームの開口を塞ぐフサギ材の何れか１つを少なくとも配置できる取付空間を、前記フレームの開口に設けることを特徴とするインテリア建材。
【請求項２】
長尺状のコ字状のフレームを備えると共に、
照明器具、この照明器具を前記フレームに取り付けたるための取付材、前記照明器具の照明光を反射させるために前記フレームに取付けられるリフレクタ材及び前記フレームの開口を塞ぐフサギ材を組合わせて配置できる取付空間を、前記フレームの開口に設けることを特徴とするインテリア建材。
【請求項３】
前記リフレクタ材は、前記照明器具の照明光の進行方向に沿って配置されていることを特徴とする請求項１又は２に記載のインテリア建材。
【請求項４】
前記フサギ材を用いて前記照明装置を前記フレームに取り付けることを特徴とする請求項１又は２に記載のインテリア建材。
【請求項５】
前記取付材、前記リフレクタ材及び前記フサギ材は、前記フレームに対して係脱自在に配置されていることを特徴とする請求項１又は２に記載のインテリア建材。
【発明の詳細な説明】
【技術分野】
【０００１】
本願発明は、主に建物の室内で使用される建材としてのインテリア建材に関する。
【背景技術】
【０００２】
出願人は、ＬＥＤプレートをアルミ押出し形材のケースに取り付けて構成されている照明器具を開発すると共に、その照明器具の建材への適用例についても、その研究、開発を進めている。
例えば、特許文献１では、ＬＥＤプレートを形材本体に配置し、そのＬＥＤプレートの上からコーティング材を充填して照明器具を構成し、その照明器具を内ケースとして、外ケースに組み込んでいる建材を提案している。
かかる建材は、建物の方立、無目、巾木、下枠等に取り付け、室内においては壁面の巾木等に取り付けられるもので、建物の出入り口、通路等での足元灯、誘導灯の照明として、通行者等に安全、安心感を与え、また建物のライトアップを図ることとしている（同文献の段落００４１）。
【０００３】
かかる建材は建物の室内外に使われるものであるが、出願人は、建材と前記照明器具とのコラボレーションのみならず、広く、建材と照明とのコラボレーションを図ることができるインテリア建材の開発を進めることとした。
【０００４】
室内で使用される建材として、特許文献２は「床面近傍から天井面近傍まで上下方向に延びた照明装置本体を有し、この照明装置本体には、内部に色温度の異なる複数の光源が上下方向に並んで設けられるとともに、この複数の光源を使用目的に応じて選択的に点灯させる切替選択手段を備えていることを特徴としている照明装置」を開示している（同文献段落００１６）。
同文献の図９（ｂ）には、部屋Ｒの壁面Ｈに複数の照明装置１０が設けられている構成が示されていて、この場合、壁面オブジェのようになり、室内の見栄えが向上する（同文献段落００９８）とされている。
【先行技術文献】
【特許文献】
【０００５】
【特許文献１】特開２０１３−１０５６１１号公報
【特許文献２】特開２００６−８５９９１号公報
【発明の概要】
【発明が解決しようとする課題】
【０００６】
しかし、同文献２の照明装置１０の光源２０の光は、前面パネル１６ｂを介して、室内側に照射されるため、光の変化に乏しく、光の演出効果が薄いものとなっている。
また、照明装置１０の操作には、コントロール装置１２等の機器が必要とされ（同文献段落００６６）、コスト高となる恐れがあった。
【０００７】
そこで、出願人は、建材と前記照明器具とのコラボレーションのみならず、広く、建材と照明とのコラボレーションを図ることができるインテリア建材を提供することを目的とする。
【課題を解決するための手段】
【０００８】
上記課題を解決するため、本願発明に係るインテリア建材は、長尺状のコ字状のフレームを備えると共に、照明器具を前記フレームに取り付けたるための取付材、前記照明器具の照明光を反射させるために前記フレームに取付けられるリフレクタ材及び前記フレームの開口を塞ぐフサギ材の何れか１つを少なくとも配置できる取付空間を、前記フレームの開口に設けることを特徴とするインテリア建材とした（請求項１に記載の発明）。
【０００９】
上記課題を解決するため、本願発明に係るインテリア建材は、長尺状のコ字状のフレームを備えると共に、照明器具、この照明器具を前記フレームに取り付けたるための取付材、前記照明器具の照明光を反射させるために前記フレームに取付けられるリフレクタ材及び前記フレームの開口を塞ぐフサギ材を組合わせて配置できる取付空間を、前記フレームの開口に設けることを特徴とするインテリア建材とした（請求項２に記載の発明）。
本願発明の照明器具には、前記ＬＥＤプレートを光源とするものの他、各種の照明器具が含まれる。
【００１０】
前記リフレクタ材は、前記照明器具の照明光の進行方向に沿って配置されていることを特徴とするインテリア建材とした（請求項３に記載の発明）。
【００１１】
前記フサギ材を用いて前記照明装置を前記フレームに取り付けることを特徴とするインテリア建材とした（請求項４に記載の発明）。
【００１２】
前記取付材、前記リフレクタ材及び前記フサギ材は、前記フレームに対して係脱自在に配置されていることを特徴とするインテリア建材とした（請求項５に記載の発明）。
【発明の効果】
【００１３】
本願発明によれば、インテリア建材を構成する要素として、フレームと、照明器具と、この照明器具を前記フレームに取り付けたるための取付材と、この照明器具の照明光を反射させるために前記フレームに取付けられるリフレクタ材と、前記フレームが備える開口を塞ぐフサギ材を用いることができるので、建材と照明とのコラボレーションを多種多用に図ることができるインテリア建材を提供することができる。
また、本願発明によれば、これらの要素の組合わせを選択することで、変化に富んだ光の演出が可能となっている。
また、前記リフレクタ材は、前記照明器具の照明光の進行方向に沿って配置されているので、前記照明器具の照明光を反射させるリフレクタ材の機能を発揮させることができ、変化に富んだ光の演出が可能となっている。
また、前記フサギ材を用いて前記照明装置を前記フレームに取り付けることとしたので、
前記フサギ材に、フレームの開口を塞ぐことができる機能に加えて、取付材としての機能を付加することができ、各種の照明器具の取付手段として、柔軟に対応することができる。
さらに、前記取付材、前記リフレクタ材及び前記フサギ材は、前記フレームに対して係脱自在に配置されているので、インテリア建材のメンテナンスが容易になり、また、趣向の変化に柔軟に対応することができる。
【図面の簡単な説明】
【００１４】
【図１】インテリア建材を構成するフレームの横断面図、
【図２Ａ】インテリア建材を構成する取付材の横断面図、
【図２Ｂ】インテリア建材を構成する別例の取付材の横断面図、
【図３Ａ】インテリア建材を構成するリフレクタ材の横断面図、
【図３Ｂ】インテリア建材を構成する別例のリフレクタ材の横断面図、
【図４】インテリア建材を構成するフサギ材の横断面図、
【図５Ａ】（１）インテリア建材の正面図、（２）照明器具の内部機構を省略した同正面図のＡ−Ａ矢視断面図、（３）同正面図のＢ−Ｂ矢視断面図、
【図５Ｂ】インテリア建材が施工された室内の斜視図
【図６Ａ】（１）インテリア建材の正面図、（２）照明器具の内部機構を省略した同正面図の下方のＣ−Ｃ矢視断面図、（３）照明器具の内部機構を省略した同正面図の上方のＣ−Ｃ矢視断面図、（４）同正面図のＤ−Ｄ矢視断面図、
【図６Ｂ】インテリア建材の要部斜視図、
【図６Ｃ】インテリア建材が施工された室内の要部斜視図、
【図７Ａ】（１）インテリア建材の正面図、（２）照明器具の内部機構を省略した同正面図の下方のＦ−Ｆ矢視断面図、（３）照明器具の内部機構を省略した同正面図の上方のＦ−Ｆ矢視断面図、（４）同正面図のＥ−Ｅ矢視断面図、
【図７Ｂ】インテリア建材の要部斜視図、
【図７Ｃ】インテリア建材が施工された室内の要部斜視図、
【図８Ａ】（１）インテリア建材の正面図、（２）同正面図の下方のＧ−Ｇ矢視断面図、（３）同正面図の上方のＧ−Ｇ矢視断面図、（４）照明器具の内部機構を省略した同正面図のＨ−Ｈ矢視断面図、
【図８Ｂ】インテリア建材が施工された室内の要部斜視図、
【図９Ａ】（１）インテリア建材の正面図、（２）同正面図のＫ−Ｋ矢視断面図、（３）同正面図のＪ−Ｊ矢視断面図、（４）同正面図のＩ−Ｉ矢視断面図、
【図９Ｂ】インテリア建材が施工された室内の斜視図、
【図９Ｃ】（１）ＬＥＤライトを固定した取付材の平面図、（２）同側面図、
【図１０】端部フサギの取付け状態を示す説明図、
【図１１】ハズレ止めの横断面図及び同正面図である。
【発明を実施するための形態】
【００１５】
本願発明に係るインテリア建材は、各図に図示されているように、長尺状のコ字状の形材であるフレーム１と、照明器具２と、この照明器具２を前記フレーム１に取付けるための取付材３と、この照明器具２の照明光を反射させるために前記フレーム１に取付けられるリフレクタ材４と、前記フレーム１が備える開口１０を塞ぐフサギ材５から構成される。
前記フレーム１の開口１０は、前記照明器具２、前記取付材３、前記リフレクタ材４及び前記フサギ材５を取付るための取付空間１１となっている。
前記取付空間１１に、照明器具２を取付けた前記取付材３、前記リフレクタ材４及び前記フサギ材５を組合わせて、インテリア建材とすることができる。
なお、以下に詳述する本願発明のインテリア建材に共通する構成は、共通する用語を用いると共に、各図において略同一に図示して詳細な説明は省略し、且つ、必要に応じて同一の符号で示すことがある。
【００１６】
前記フレーム１は、図１のように、形材の長尺方向に交差する面の断面形状が「コ」の字のように構成されて、開口１０を備えている。
前記開口１０は、取付空間１１を構成し、照明器具２を収容することができる第一の空間１２と、前記取付材３、リフレクタ材４及び前記フサギ材５を取付けることができる取付ヒレ１３と、照明器具２の配線等を納めることができる第二の空間１４とからなる。
前記取付空間１１は、フレーム１の両側面１５，１６及び背面１７の辺に囲まれて構成されている。
【００１７】
前記第一の空間１２は、照明器具２の全体を収容できるスペースに構成しても、その一部のみを収容するようにされていてもよい。
前記取付ヒレ１３は、両側面１５，１６の内面１８，１８からそれぞれ起立する起立片１３０，１３０と、各起立片１３０，１３０の端部から略ハの字状に傾斜する傾斜部１３１，１３１を備えている。これらの傾斜部１３１，１３１は、前記取付材３の起立係止片３２，３２（後述）を係止する際に、その起立係止片３２，３２に加えられる押圧力により、起立係止片３２，３２と係止されるようになっている。
【００１８】
以上のように構成されるフレーム１は、前記開口１０が室内側に臨むように、前記背面１７、側面１５及び／又は側面１６が壁面等に固定されている。
【００１９】
前記照明器具２は、スポットライト、ブラケットライト、ＬＥＤプレートが内ケーシングにセットされて構成されている照明器具（以下、ＬＥＤライト）が本書で記載されているが、これらに限定されるものではない。
前記ＬＥＤプレートは、詳細な図示は省略するが、ＬＥＤチップを電極パターンが描かれた基板に直接配置したモジュールから構成される。具体的には、ＬＥＤプレートは、例えば配線パターン及びアンカー部が形成される基板と、前記配線パターン上に一方の電極が接続されると共に、前記配線パターン上に施される補助メッキ及び金メッキを介して他方の電極が接続されるＬＥＤチップからなる。ここにＬＥＤチップは、単一の発光色のもの、赤色、緑色及び青色に発光する各チップを並べたマルチタイプのもの等がある。前記ＬＥＤチップの周囲には、レンズ状（凸状）のコーティング層が形成されている。
さらに、内ケーシングにセットされているＬＥＤプレートにコーティング層を充填して構成してもよい。
以上のように構成される前記ＬＥＤプレートは、１２チップ、１６チップ又は２０チップ等で必要に応じて任意のチップ数を単位に構成され、基盤連結部（図示せず）を介して、長尺状に接続できるようになっている。
これらの照明器具２は、取付材３の他、フサギ材５を介して前記取付空間１１に配置される。
【００２０】
前記取付材３は、図２Ａのように、前記フレーム１の起立片１３０，１３０に当接しつつ、第一の空間１２と第二の空間１４の間において、前記開口１０（この実施形態では第二の空間１４）を塞ぐ薄板３０と、その薄板３０の裏面３１から起立する起立係止片３２，３２と、前記薄板３０の正面３３に前記照明器具２を配置する配置片３４を備えている。
前記起立係止片３２，３２の先端には、前記取付材３を押圧しつつ前記取付ヒレ１３の傾斜部１３１，１３１に前記起立係止片３２，３２を係止する際に、その先端が傾斜部１３１，１３１に当接する滑面３５，３５が形成されている。また起立係止片３２，３２には、前記取付材３を前記フレーム１から取外す場合に、容易に取外すことができるように、前記滑面３５，３５に連続して、略半円状の係止部３６，３６が形成されている。
これによりインテリア建材のメンテナンスの容易性、趣向の変化に対応させる取付材３、後述のように同様に構成されているリフレクタ材４、フサギ材５等の交換の容易性が図られている。
なお、前記取付材３と前記フレーム１との係脱を更に自在に容易にするために、前記取付材３の薄板３０の上下方向の端部に、治具を挿入できる切欠（図示せず）を設けてもよい。
【００２１】
前記配置片３４は、照明器具２の「カサ」部分等を安定的に載置できるようなカーブを備えており、そのような「カサ」を備えた照明器具２の専用材となっている。
なお、前記フサギ材５に、スポットライト等の照明器具２を固定して取付ることができるので、フサギ材５は取付材を兼用できるようになっている。
【００２２】
以上のような構成の取付材３は、フレーム１と同様に長尺状に構成されていて、必要に応じて、その長さサイズを調整するため、切断して使用される。
【００２３】
図２Ｂは、別例の取付材３Ａの構成例を示すもので、前記取付材３の薄板３０及び起立係止片３２，３２と同様の起立係止片３２，３２及び薄板３０を備えると共に、前記薄板３０の正面３３に前記照明器具２のＬＥＤライトを取付ける起立取付片３７，３７を備えている。この起立取付片３７，３７は、ＬＥＤライトの外側に拡散板６を取付けることができる取付枠３８，３８を備えてなる。その他の構成は、前記取付材３と同様である。
【００２４】
前記リフレクタ材４は、図３Ａのように、前記取付材３の薄板３０及び起立係止片３２、３２と同様の薄板４０及び起立係止片４２，４２を備えると共に、前記薄板４０の正面４３に前記照明器具２からの照明光を反射させる反射片４４を備えている。
この反射片４４は、円筒をその直径に沿って左右に２つに分割した半円筒状のもので、円筒の内面が反射面４５となっている。その他の構成は、前記取付材３と同様である。
【００２５】
図３Ｂは、別例のリフレクタ材４Ａの構成例を示すもので、前記取付材３の薄板３０及び起立係止片３２、３２と同様の薄板４０及び起立片４２，４２を備えると共に、前記薄板４０の正面４３に前記照明器具２からの照明光を反射させる波板状の反射面４６を備えている。その他の構成は、前記取付材３と同様である。
【００２６】
前記フサギ材５は、図４に図示したように、前記取付材３の薄板３０及び起立係止片３２、３２と同様の薄板５０及び起立係止片５２，５２を備えると共に、前記薄板５０の正面５３は平面状に構成されている。
このような構成のフサギ材５は、前記フレーム１の開口１０に前記取付材３、リフレクタ材４を取付けない箇所において、その開口１０を塞ぐものであると共に、前記薄板５０の正面５３に照明器具２を固定できるようになっている。その他の構成は、前記取付材３と同様である。
【００２７】
次に、前記フレーム１の取付空間１１に、前記照明器具２、前記取付材３、前記リフレクタ材４及び前記フサギ材５を組合わせる場合の実施形態を説明する。
【００２８】
図５Ａは、前記取付空間１１に、その下方から上方にかけて、順次、前記フサギ材５、前記照明器具２としてのスポットライト２Ａを固定した前記フサギ材５、前記フサギ材５、前記スポットライト２Ａを固定した前記フサギ材５及び前記フサギ材５を組合わせた実施形態を示している。
前記スポットライト２Ａは、前記フサギ材５の薄板５０の正裏面５１，５３間を貫通させた孔５４を介して、スポットライト２Ａのアーム２１をネジ止めし、その配線２２を第一の空間１２から第二の空間１４に向けて延在させている。
このスポットライト２Ａのアーム２１に取付られているカサ２３は、アーム２１の両端に回転軸が設けられており、その回転軸を中心に、回転自在に構成されている。
【００２９】
図５Ｂは、図５Ａに示した組合わせの実施形態において、前記フサギ材５に複数個のスポットライト２Ａを取付けたもので、かかるインテリア建材を例えば店舗の壁面等に施工することで、ディスプレイ用の商品に照明光を当て、その商品を浮かび上がらせることができる。
【００３０】
図６Ａは、前記取付空間１１に、下方から上方にかけて、順次、照明器具２としてのブラケットライト２Ｂを固定した取付材３、前記リフレクタ材４Ａ、前記ブラケットライト２Ｂを固定した取付材３を組合わせた実施形態である。
前記ブラケットライト２Ｂは、図６Ａ及び図６Ｂのように、その照明光が前記リフレクタ材４Ａに向けて放射される位置に固定されている。即ち、ブラケットライト２Ｂのカサ２３の外周が前記取付材３の配置片３４に密着して載置され、カサ２３が薄板３０の正裏面３１，３３間を貫通させた孔を介してネジ止めされていると共に、別の貫通孔を介して第二の空間１４に配線を延在させている。
【００３１】
図６Ｃは、図６Ａに示した組合わせの実施形態において、ブラケットライト２Ｂとリフレクタ材４Ａの正面４３に形成された波型の反射面４６による光の作用効果を示したもので、リフレクタ材４Ａの反射面４６の山と谷の差が照射光で強調されて、縦線の模様が表現されて、独特のインテリア建材となっている。
【００３２】
図７Ａは、前記フレーム１の取付空間１１に、下方から上方にかけて、順次、照明器具２としてのブラケットライト２Ｂを固定した取付材３、前記リフレクタ材４、前記ブラケットライト２Ｂを固定した取付材３を組合わせた実施形態を示したものである。
前記ブラケットライト２Ｂは、図７Ｂのように、その照明光が前記リフレクタ材４に向けて放射される位置に固定されている。
【００３３】
図７Ｃのように、前記フレーム１の上端から前記ブラケットライト２Ｂの照明光が前記リフレクタ材４の半円筒形の反射面４５に反射されて生じる光の濃淡の段階的な変化、視線の方向による光の濃淡の段階的な変化を現したもので、独特のインテリア建材となっている。
【００３４】
図８Ａに示した組合わせ例は、図７Ａの組合わせ例を変形させたもので、前記取付空間１１に、下方から上方にかけて、順次、前記リフレクタ材４、前記ブラケットライト２Ｂを固定した取付材３、前記リフレクタ材４を組合わせた実施形態である。
【００３５】
かかる組合わせ例では、図８Ｂのように、ブラケットライト２Ｂの照明光が上下方向に導かれて反射されるようになっている。さらに、図８Ｂのように、前記フレーム１の上端に進行した前記ブラケットライト２Ｂの照明光は、天井面で反射されて、リフレクタ材４の形状を反映させることができる間接照明となっている。
【００３６】
図９Ａは、前記フレーム１の取付空間１１に、下方から上方にかけて、順次、前記フサギ材５を２段にし、照明器具２のＬＥＤライト２Ｃを固定した取付材３Ａを組合わせた実施形態を示したものである。
前記フサギ材５には、電気製品に電力を供給するためのコンセント７が仕込まれている。
【００３７】
図９Ｂに示した組合わせ例は、図９Ａの組合わせ例を変形させたもので、前記取付空間１１に、下方から上方にかけて、順次、前記ＬＥＤライト２Ｃを固定した取付材３Ａ、前記フサギ材５、前記ＬＥＤライト２Ｃを固定した取付材３Ａを組合わせた実施形態である。
この実施形態では、壁面等に前記ＬＥＤライト２Ｃによる光の模様が形成されると共に、前記拡散板６により、光が拡散して、床及び天井にも光の模様が形成される。
なお、図９Ｃのように、前記ＬＥＤライト２Ｃに対して供給されたる電力は、コネクターに接続される配線２２が前記フレーム１の上端から第二の空間１４に延在されている。
また、図１０のように、前記取付材３Ａの上下端には、端部フサギ９が設けられている。
【００３８】
上記インテリア建材の効果を纏めれば次の通りである。
（１）  インテリア建材を構成する要素として、フレーム１と、スポットライト２Ａ、ブラケットライト２Ｂ、ＬＥＤライト２Ｃ等の照明器具２と、これらの照明器具２を前記フレーム１に取り付けたるための取付材３，３Ａと、これらの照明器具２の照明光を反射させるために前記フレーム１に取付けられるリフレクタ材４，４Ａと、前記フレーム１が備える開口１０を塞ぐフサギ材５を用いることで、インテリア建材のバリエーションを高めて建材と照明とのコラボレーションを図ることができる。
（２）  また、フレーム１と、スポットライト２Ａ、ブラケットライト２Ｂ、ＬＥＤライト２Ｃ等の照明器具２と、これらの照明器具２を前記フレーム１に取り付けたるための取付材３，３Ａと、これらの照明器具２の照明光を反射させるために前記フレーム１に取付けられるリフレクタ材４，４Ａと、前記フレーム１が備える開口１０を塞ぐフサギ材５の組合わせを選択することで、変化に富んだ光の演出が可能となっている。
（３）  前記リフレクタ材４，４Ａは、前記照明器具２の照明光の進行方向に沿って配置されているので、前記リフレクタ材４，４Ａが備えている独自の反射面４５，４６の機能を発揮させることができ、変化に富んだ光の演出が可能となっている。
（４）  前記フサギ材５を用いて前記照明装置２を前記フレーム１に取り付けることもできるので、前記フサギ材５に、フレーム１の開口１０を塞ぐことができる機能に加えて、取付材としての機能を付加することができ、各種の照明器具２の取付手段として、柔軟に対応することができる。
（５）  前記取付材３，３Ａ、前記リフレクタ材４，４Ａ及び前記フサギ材５は、前記フレーム１に対して係脱自在に配置されているので、インテリア建材のメンテナンスが容易になり、また、趣向の変化に柔軟に対応することができる。
【００３９】
上述のように、前記取付材３等の起立係止片３２，３２は、前記フレーム１の取付ヒレ１３，１３の傾斜部１３１，１３１に係止されて、前記フレーム１からハズレ難いようになっているが、両者の係止をより確実にするため、前記取付材３，３Ａ、リフレクタ材４，４Ａ、フサギ材５にハズレ止め８を取付けてもよい。
前記ハズレ止め８は、図１１のように、例えばフサギ材５を例示して説明すれば、その起立係止片５２，５２を支持する支持板８０と、フサギ材５がフレーム１の室内側（図１１の横断面図において紙面の下側）に係脱することを防止するフック片８１からなる。
また、前記フレーム１の上下端に、開口１０を塞ぐための端部フサギ（図示なし）を設けているので、フレーム１を壁面等に固定する前に、フレーム１の長手方向から前記取付材３，３Ａ、リフレクタ材４，４Ａ、フサギ材５が抜け出すことを防止している。
【００４０】
上記各実施形態では、インテリア建材は主としてたて建物のエントランス、廊下等のＺの壁面等に配置されることが想定されているが、建物の開口部の窓枠等の方立に配置してもよいし、商業施設のショウウインドウに配置してもよい。
【００４１】
本発明は、以上説明した実施形態に限定されるものではなく、多くの変形が本発明の技術的思想内で当分野において、通常の知識を有する者により可能である。
【符号の説明】
【００４２】
１  フレーム
１０  開口
１１  取付空間                          １２  第一の空間
１３  取付ヒレ                          １４  第二の空間
１５，１６  両側面                      １７  背面
１８，１８  内面
１３０，１３０  起立片                  １３１，１３１  傾斜部
２  照明器具
２Ａ  スポットライト                    ２Ｂ  ブラケットライト
２Ｃ  ＬＥＤライト
２１  アーム                            ２２  配線
２３  カサ
３  ３Ａ  取付材
３０  薄板                              ３１  裏面
３２，３２  起立係止片                  ３３  正面
３４  配置片
３５，３５  滑面                        ３６，３６  係止部
３７，３７  起立取付片
３８，３８  取付枠
４  ４Ａ  リフレクタ材
４０  薄板                              ４１  裏面
４２，４２  起立係止片                  ４３  正面
４４  反射片                            ４５，４６  反射面
５  フサギ材
５０  薄板                              ５１  裏面
５２，５２  起立係止片                  ５３    正面
５４  孔
６  拡散板
７  コンセント
８  ハズレ止め
９  端部フサギ
【図１】
2017142933.tif 000003
【図２Ａ】
2017142933.tif 000004
【図２Ｂ】
2017142933.tif 000005
【図３Ａ】
2017142933.tif 000006
【図３Ｂ】
2017142933.tif 000007
【図４】
2017142933.tif 000008
【図５Ａ】
2017142933.tif 000009
【図５Ｂ】
2017142933.tif 000010
【図６Ａ】
2017142933.tif 000011
【図６Ｂ】
2017142933.tif 000012
【図６Ｃ】
2017142933.tif 000013
【図７Ａ】
2017142933.tif 000014
【図７Ｂ】
2017142933.tif 000015
【図７Ｃ】
2017142933.tif 000016
【図８Ａ】
2017142933.tif 000017
【図８Ｂ】
2017142933.tif 000018
【図９Ａ】
2017142933.tif 000019
【図９Ｂ】
2017142933.tif 000020
【図９Ｃ】
2017142933.tif 000021
【図１０】
2017142933.tif 000022
【図１１】
2017142933.tif 000023